(57)【要約】【課題】蓋体を机等の上面に載置したときにも、蓋体の安定性を損なわず、衛生的にも優れた急須を提供する。【解決手段】急須本体２と、急須本体２に形成された開口４を閉塞する蓋本体１１と、この蓋本体１１の上面に形成されたつまみ部１２とを有する蓋体３とを備え、上記つまみ部１２は、上記蓋体３が反転された状態で机やテーブル等の上面１６に載置された際に、上記蓋本体１１の周端が該机等の上面１６より上方に位置する状態を維持される形状に成形されてなる。【選択図】        図３
2004313368.tif 000002
【特許請求の範囲】
【請求項１】
急須本体と、
急須本体に形成された開口を閉塞する蓋本体と、この蓋本体の上面に形成されたつまみ部とを有する蓋体とを備え、
上記つまみ部は、上記蓋体が反転された状態で机やテーブル等の上面に載置された際に、上記蓋本体の周端が該机等の上面より上方に位置する状態を維持される形状に成形されてなることを特徴とする急須。
【請求項２】
上記つまみ部は、植物、動物又は幾何学的形状に成形されてなることを特徴とする請求項１記載の急須。
【請求項３】
上記つまみ部は、高さが人の指の厚みとほぼ同じ或いはより高いことを特徴とする請求項１又は請求項２記載の急須。
【発明の詳細な説明】
【０００１】
【発明が属する技術分野】
本発明は、お茶を入れる際に用いられる急須に関するものである。
【０００２】
【従来の技術】
従来の急須は、急須本体と、蓋体とから構成されており、この蓋体は、円盤状に成形された蓋本体と、該蓋本体の上面中央に形成されたつまみ部と、から構成されている。このつまみ部は、上記蓋体によって急須本体に形成された開口を開放又は閉塞する際に、蓋体を把持するための部位であって、従来はこのつまみ部はほぼ球状に形成されている。
【０００３】
【発明が解決しようとする課題】
しかしながら、上述した従来の急須では、つまみ部が球状に形成され、また、蓋本体が円盤状に成形されていることから、急須本体内に茶葉を収容しお湯を注ぐときは、蓋体を上下面を反転して、机，テーブル或いは畳等の上に載置すると、つまみ部の上端近傍を中心として、蓋本体の周端に沿って転動するため不安定となる。このため、机等の上面に載置された蓋体を用いて再度急須本体の開口を閉塞する時には、この蓋体では操作性が悪い。また、従来の急須では、このように反転して机等の上面に載置すると、上記蓋本体の周端が机等の上面に接触することから、衛生的にも好ましくない。
【０００４】
そこで、本発明は、上述した従来の急須が有する課題を解決するために提案されたものであって、蓋体を机等の上面に載置したときにも、蓋体の安定性を損なわず、衛生的にも優れた急須を提供することを目的とするものである。
【０００５】
【課題を解決するための手段】
本発明は上記の課題を解決するために提案されたものであって、第１の発明（請求項１記載の発明）は、急須本体と、急須本体に形成された開口を閉塞する蓋本体と、この蓋本体の上面に形成されたつまみ部とを有する蓋体とを備え、上記つまみ部は、上記蓋体が反転された状態で机やテーブル等の上面に載置された際に、上記蓋本体の周端が該机等の上面より上方に位置する状態を維持される形状に成形されてなることを特徴とするものである。
【０００６】
この第１の発明によれば、急須の蓋体を机，テーブル或いは畳等の上に上下面を反転して載置した場合には、つまみ部によって蓋本体の周端が机等の上に接触することがなく維持されることから、蓋体を安定して載置することができ、蓋本体の何れの周端からも把持することが容易となり、操作性が向上する。また、この蓋体の蓋本体が机等と接触することがないことから、この急須を衛生的に取り扱うことができる。
【０００７】
なお、この蓋体を構成するつまみ部の形状は、蓋体が反転された状態で、机やテーブル等の上面に載置された際に上記蓋本体の周端が該机等の上面より上方に位置する状態を維持するものであれば、該机等の上面に面対向する平面が成形されたものであっても良く、或いは、このつまみ部が複数の凹凸を有する形状であっても良い。
【０００８】
また、第２の発明（請求項２記載の発明）は、前記第１の発明において、上記つまみ部は、植物、動物又は幾何学的形状に成形されてなることを特徴とするものである。
【０００９】
この第２の発明では、前記のつまみ部を植物、動物又は幾何学的形状に成形してなることから、この急須のデザイン的価値を高めることができる。
【００１０】
また、第３の発明（請求項３記載の発明）は、前記第１又は第２の発明において、前記つまみ部は、高さが人の指の厚みとほぼ同じ或いはより高いことを特徴とするものである。
【００１１】
この第３の発明によれば、机等の上面に載置された蓋体を把持する際に、該蓋体の下側、すなわち、机等の上面と蓋本体との間に指を挿入して把持することができることから、この急須の操作性をより高めることができる。また、こうした操作により急須の蓋体を反転する過程では、この急須本体の開口を閉塞した際に該開口の内側となる蓋体の裏面側に、人の指が接触することなく蓋体を操作できることから、この急須をより衛生的に取り扱うことができる。
【００１２】
【発明の実施の形態】
以下、本発明の一実施の形態に係る急須について、図面を参照しながら詳細に説明する。
【００１３】
この急須１は、図１に示すように、急須本体２と、蓋体３とから構成されている。この急須本体２は、内部に図示しない茶葉やお湯が収容され上方に開口４が形成された収容部２ａを備え、この急須本体２の側面には、この急須本体２内のお茶を湯飲み等に注ぐ注ぎ口５と、この急須本体２の操作に用いられる把手６が形成されている。また、この開口４の周縁には、該開口４を閉塞する際に蓋体３が載置される環状の載置部７と、載置部７上に載置した際に、該蓋体３が水平方向にずれることを防止するための環状の凸部８が形成されている。
【００１４】
また、上記蓋体３は、図２に示すように、略円盤状に成形され上面は円弧状に膨出してなる蓋本体１１と、この蓋本体１１の上面中央に形成されたつまみ部１２から構成されている。この蓋本体１１は、上述した通り、上記急須本体２を構成する載置部７上に載置されて該開口４を閉塞するものであり、直径は載置部７よりやや短いものとされている。また、この蓋本体１１の底面周縁には、載置部７上に載置されたときに凸部８と係合するように面取り部１３が形成されている。そして、上記つまみ部１２は、柱状部１４と、円盤部１５とから構成され、この柱状部１４の下端は、上記蓋本体１１の中央に固定されている。また、上記円盤部１５の上面は、図１に示すように、花弁の形状に成形されている。なお、この円盤部１５の上面は、蓋本体１１の下端、すなわち、面取り部１３の下端と平行なものとされている。このため、上記蓋体３の上下面を反転させ、円盤部１５を机の上面１６と対向させて載置した際には、図３に示すように、面取り部１３の下端は机の上面１６と平行な状態となり、蓋本体１１の周端が机の上面１６に接触しない状態が維持される。また、上記柱状部１４の長さと円盤部１５の厚みを合わせた長さ、すなわち、つまみ部１２の高さは、少なくとも、人の指Ｆの厚みより高いものとされている。このため、上下面を反転して机の上面１６上に載置されたこの蓋体３を操作する場合には、机の上面１６と蓋本体１１との間には、図３に示すように、二点鎖線で示す人の指Ｆを挿入することができる。
【００１５】
以下、上述した急須１の使用方法について説明する。この急須１を用いる時には、従来の急須と同様な方法でお茶を入れることができる。すなわち、つまみ部１２を指で把持して蓋体３を急須本体２より外し、蓋体３を一旦机の上面１６に載置し、上記開口４を介して急須本体２の収容部２ａ内に図示しない茶葉を入れ、図示しないお湯を注ぐ。次いで、机の上に置かれた蓋体３を載置部７上に載置して開口４を閉塞し、十分に茶葉が開いてお茶ができたと判断したら、把手６により急須１を操作し、図示しない茶漉しを介して注ぎ口５より図示しない湯飲みの中へお茶を注ぐ。この茶葉とお湯を収容部２ａ内に入れる間に蓋板３を机の上面１６に載置する際には、図３に示すように上下面を反転してつまみ部１２を下方に向け、円盤部１５の上面を机の上面１６と面対向させて載置される。このとき、上述の通り、蓋体３の蓋本体１１の周端は、机の上面１６に接触することがなく維持されることから、この蓋体３を衛生的に取り扱うことができる。また、机の上面１６上に載置された蓋体３を再度急須本体２上に載置するときは、つまみ部１２の高さが人の指の厚みより高いことから、蓋体３と机の上面１６との間に指Ｆを入れ、指Ｆと指Ｆの間（例えば人差し指と中指の間）でつまみ部１２を把持した上で持ち上げ、蓋体３の上下を反転させた後に急須本体２上に蓋体３を載置することができるので、この急須１は操作性に優れたものとなり、また、この操作の際に、蓋体３の裏面側に指Ｆが接触することがないことから、この蓋体３を衛生的に載置することができる。
【００１６】
なお、上述した実施の形態に係る急須１は、つまみ部１２が、柱状部１４と円盤部１５とからなり、蓋体３が反転された状態で机等の上面１６に載置された際に、該蓋体３を構成する蓋本体１１が机等の上面１６と略平行となるように構成されているが、本発明を構成するつまみ部は、蓋体が反転された状態で机やテーブル等の上面に載置された際に、上記蓋本体の周端が該机等の上面より上方に位置する状態を維持される形状に成形されていれば、該つまみ部は、他の形状に成形されているものであっても良い。例えば、本発明を構成するつまみ部は、上面に凹凸が形成されているものであっても良いし、また、植物、動物又は幾何学的形状に成形されたものであっても良い。このように、つまみ部が、植物や動物等の形状に成形されている急須によれば、デザイン的価値を高めることができる。さらに、上述した実施の形態に係る急須１は、つまみ部１２が、蓋体３が反転された状態で机等の上面１６に載置された際に、該蓋体３を構成する蓋本体１１が机等の上面１６と略平行となるように構成されているが、本発明を構成するつまみ部の形状は、必ずしも、反転された際に、机等の上面１６と平行となる形状に成形されている必要はなく、やや傾斜された状態となるように成形されたものであっても良い。
【００１７】
【発明の効果】
前述した本発明の各実施の形態の説明からも明らかのように、本発明（請求項１記載の発明）によれば、急須の蓋体を机、テーブル或いは畳等の上に上下面を反転して載置した場合には、つまみ部によって蓋本体の周端が机等の上に接触することがなく維持されることから、蓋体を安定して載置することができ、蓋本体の何れの周端からも把持することが容易となり、従来の急須に比べ操作性を大きく向上させることができる。また、この蓋体の蓋本体が机等と接触することがないことから、この急須を衛生的に取り扱うことができる。
【００１８】
また、第２の発明（請求項２記載の発明）では、前記のつまみ部を植物、動物又は幾何学的形状に成形してなることから、この急須のデザイン的価値を高めることができる。
【００１９】
また、第３の発明（請求項３記載の発明）によれば、机等の上面に載置された蓋体を把持する際に、該蓋体の下側、すなわち、机等の上面と蓋本体との間に指を挿入して把持することができることから、この急須の操作性をより一層高めることができる。また、こうした操作により急須の蓋体を反転する過程では、この急須本体の開口を閉塞した際に該開口の内側となる蓋体の裏面側に、人の指が接触することなく蓋体を操作できることから、この急須をより衛生的に取り扱うことができる。
【図面の簡単な説明】
【図１】本発明の実施の形態に係る急須を示す分解斜視図である。
【図２】本発明の実施の形態に係る急須の蓋体を示す側面図である。
【図３】本発明の実施の形態に係る急須の蓋体を机上に載置した状態及びこの蓋体を操作する際の指の状態を示す側面図である。
【符号の説明】
１    急須
２    急須本体
３    蓋体
４    開口
１１    蓋本体
１２    つまみ部
１６    机の上面
１７    人の指
【図１】
2004313368.tif 000003
【図２】
2004313368.tif 000004
【図３】
2004313368.tif 000005